(57)【特許請求の範囲】
【請求項１】
複数の窓にそれぞれ設置される電動ブラインドの開閉状態によって文字若しくは図形をイルミネーションパターンとして表現するイルミネーション制御装置に対し、前記電動ブラインドの開閉状態を制御する制御データを入力する入力装置において、  あらかじめ設定された３色以上の画素で構成される原画に基づいて、該画素に対応する電動ブラインドに対し、該画素の色に対応する３種類以上のブラインド状態を制御データとして設定して、イルミネーションパターンの階調制御を可能とした制御データ作成装置を備えたことを特徴とするイルミネーション制御用データの入力装置。
【請求項２】
前記画素を構成する３色以上の色は任意に設定可能としたことを特徴とする請求項１記載のイルミネーション制御用データの入力装置。
【請求項３】
特定の色に設定された前記画素に対応する電動ブラインドは、その動作を禁止する動作禁止ブラインドとして設定可能としたことを特徴とする請求項１又は２に記載のイルミネーション制御用データの入力装置。
【請求項４】
前記制御データ作成装置は、前記各画素の番号を建物に設置されている電動ブラインドの番号に変換するブラインド番号対照ファイルを備えたことを特徴とする請求項１乃至３のいずれかに記載のイルミネーション制御用データの入力装置。
【発明の詳細な説明】
【０００１】
【発明の属する技術分野】
この発明は、入力装置から入力された制御データに基づいて、電動ブラインドのスラット昇降動作及びスラット角度調節動作を自動制御する電動ブラインドの制御装置に関するものである。
【０００２】
【従来の技術】
近年、夜間に、ビル壁面の多数の窓面から室内光を放射するか否かを選択することにより、各窓を一つの画素として、当該ビル壁面に文字やその他の画像等のイルミネーションパターンを表示可能としたイルミネーション装置が実用化されている。
【０００３】
このようなイルミネーション装置では、各窓にそれぞれ設置された電動ブラインドのブラインド開度を全開とするか、全閉とするかにより、窓面から室内光を放射するか否かが選択可能となっている。
【０００４】
各窓に設置された電動ブラインドの動作は、パソコン等で構成されるメインコントローラの入力装置から入力された制御データと、メインコントローラにあらかじめ設定されたプログラムとに基づいて自動制御される。
【０００５】
そして、昼間においては、採光量を適宜に調節するために、ブラインド開度及びスラット角度が制御され、夜間においては、上記のようなイルミネーション制御が行われる。
【０００６】
このようなメインコントローラは、各ブラインドのスラット角度及びブラインド開度等の制御データを、あらかじめ格納されている制御データ入力用プログラムに基づいて入力可能となっている。
【０００７】
【発明が解決しようとする課題】
上記のようなイルミネーション装置では、各電動ブラインドのスラットを全開とするか全閉とするかを二者択一で選択するか、あるいは各電動ブラインドのスラットを水平方向とするか垂直方向とするかを二者択一で選択することによりイルミネーション制御を行うようになっている。
【０００８】
従って、イルミネーション表示される文字や図形が単調な表現となるという問題点がある。
また、各電動ブラインドのブラインド開度を全開状態と全閉状態の中間とすること、あるいはスラット角度を水平方向と垂直方向との中間となるように制御することは容易であるが、多数の電動ブラインドに対し、イルミネーションパターンに合わせてそのような制御データを設定することは、極めて煩雑なデータ入力作業が必要となるという問題点がある。
【０００９】
この発明の目的は、ブラインド開度あるいはスラット角度を３段階以上に制御して、イルミネーションパターンの階調制御を可能としながら、イルミネーション制御を容易にかつ迅速に行い得るイルミネーション制御用データの入力装置を提供することにある。
【００１０】
【課題を解決するための手段】
請求項１では、複数の窓にそれぞれ設置される電動ブラインドの開閉状態によって文字若しくは図形をイルミネーションパターンとして表現するイルミネーション制御装置に対し、前記電動ブラインドの開閉状態を制御する制御データを入力する入力装置において、あらかじめ設定された３色以上の画素で構成される原画に基づいて、該画素に対応する電動ブラインドに対し、該画素の色に対応する３種類以上のブラインド状態を制御データとして設定して、イルミネーションパターンの階調制御を可能とした制御データ作成装置を備えた。
【００１２】
請求項２では、前記画素を構成する３色以上の色は任意に設定可能とした。
請求項３では、特定の色に設定された前記画素に対応する電動ブラインドは、その動作を禁止する動作禁止ブラインドとして設定可能とした。
【００１３】
請求項４では、前記制御データ作成装置は、前記各画素の番号を建物に設置されている電動ブラインドの番号に変換するブラインド番号対照ファイルを備えた。
【００１５】
【発明の実施の形態】
（第一の実施の形態）
以下、この発明を具体化した一実施の形態を図面に従って説明する。図１は、ビルの各フロアに設置される電動ブラインドの動作を制御する制御装置の概要を示す。
【００１６】
パソコンで構成されるメインコントローラ１には、信号線２を介して複数のフロアコントローラ３が接続され、各フロアコントローラ３には信号線２を介して多数のブラインドコントローラ４が接続される。
【００１７】
そして、前記メインコントローラ１はその入力装置から入力された制御データと、メインコントローラ１にあらかじめ設定されたプログラムとに基づいて、フロアコントローラ３を介して各ブラインドコントローラ４を制御する。
【００１８】
前記ブラインドコントローラ４は、各電動ブラインドのヘッドボックスに内蔵され、当該ブラインドのスラットの昇降動作及び角度調節動作を制御する。従って、各電動ブラインドのスラットの昇降動作及び角度調節動作は、メインコントローラ１に入力された制御データと、メインコントローラ１にあらかじめ設定されたプログラムとに基づいて制御される。
【００１９】
前記各ブラインドコントローラ４には、各電動ブラインドの近傍に設けられた手元スイッチ５がそれぞれ接続される。そして、手元スイッチ５の操作に基づいて、各電動ブラインドのブラインドコントローラ４を介してスラットの昇降動作及び角度調節動作を制御可能となっている。
【００２０】
前記メインコントローラ１の電気的構成を図２に示す。制御部６に接続されるプログラムメモリ７には、前記各電動ブラインドを自動制御するためのプログラム及び制御データを入力するための入力プログラムがあらかじめ格納され、制御部６はそのプログラムに基づいて動作する。
【００２１】
前記制御部６に接続されたマウス８及びキーボード９は、制御データの入力操作及びその他の入力操作時に使用される。また、制御部６に接続された作業用メモリ１０は、制御部６の動作に基づいて生成されたデータ、信号線２を介してメインコントローラ１に入力されたデータ等を一時的に格納する場合に使用される。
【００２２】
前記制御部６に接続された入出力インターフェース１１は、前記信号線２に接続され、制御部６から出力される制御データあるいはその他の信号を信号線２を介して前記フロアコントローラ３に出力するとともに、前記各ブラインドコントローラ４から出力される信号を受信して、制御部６に入力する。
【００２３】
前記制御部６に接続された表示装置１２は、ＣＲＴあるいは液晶表示装置で構成され、前記各プログラムに基づいて動作する制御部６により、各種入力画面あるいは設定画面等が表示される。
【００２４】
図３〜図６は、イルミネーション制御を行うための制御データの入力作業を行う際に、前記メインコントローラ１の表示装置１２に表示される入力画面１３を示す。
【００２５】
前記入力画面１３には、表示部１４と、原画一覧表示部１５と、ブラインド状態設定部１６と、原画呼び出し部１７と、ファイル保存部１８とから構成される。
【００２６】
前記原画呼び出し部１７には、フォルダー選択部１９と、ファイル選択部２０とが形成される。図４に示すように、フォルダー選択部１９で所望のフォルダーが選択されると、当該フォルダーに格納されている複数のファイルのファイル名がファイル選択部２０に一覧表示されるとともに、前記原画一覧表示部１５に当該ファイルに格納されている原画が一覧表示される。
【００２７】
そして、ファイル選択部２０に表示されたファイル名あるいは原画一覧表示部１５に表示された原画の中からいずれか一つをマウスでクリックすると、選択された原画が前記表示部１４に表示される。
【００２８】
前記原画は、例えば図７に示すように、３色の異なる色彩の画素２１ａ〜２１ｃで構成され、市販の描画ソフトであらかじめ作成される。
この原画が、建物の壁面に設置された電動ブラインドで表現されるのであるから、原画の横方向の画素数は建物の一つのフロアにおいて、イルミネーションパターンの形成に関わるブラインドの台数に設定される。
【００２９】
縦方向の画素数は、イルミネーションパターンの形成に関わる建物の階数に設定される。また、各画素の色彩は、実用的には５種類以下の任意の色彩で構成される。そして、このような原画がそれぞれファイル名をつけられて、作業用メモリ１０にあらかじめ格納されている。
【００３０】
前記ブラインド状態設定部１６は、表示部１４に表示された原画を構成する画素のすべての色彩を表示するための複数の小窓２２と、グループ０〜５の各小窓２２に表示された色彩の画素に対応するブラインドのブラインド開度を設定表示するためのデータ入力窓２３と、スラット角度を設定表示するためのデータ入力小窓２４が配置されている。
【００３１】
なお、各色彩に対応するブラインド開度及びスラット角度はあらかじめ設定されてプログラムメモリ７に格納されている。また、データ入力窓２３，２４で新たに設定することも可能である。
【００３２】
前記データ入力窓２３，２４には、ブラインド開度及びスラット角度がパーセント表示で設定及び表示可能となっている。
また、画素２１ａ〜２１ｃに例えば黒色の特定の色が設定されているとき、その黒色がグループ０の小窓２２に表示され、黒色の画素に対応する電動ブラインドの動作は禁止される。
【００３３】
前記ブラインド状態設定部１６には、図５に示すように、各小窓２２に画素２１ａ〜２１ｃの色彩が表示されると、グループ編成ボタン２５が表示される。そのグループ編成ボタン２５がマウス８でクリックされると、図６に示すように、表示部１４には各画素２１ａ〜２１ｃに対応するブラインド番号があらかじめ設定されているブラインド番号対照表から抽出されて表示され、かつ各ブラインドの制御データが表示される。
【００３４】
この制御データは、各画素の位置を示す番号と、各画素に対応するブラインド番号と、各ブラインドが属するグループ番号と、ブラインド開度と、スラット角度とが一覧表示される。
【００３５】
前記ファイル保存部１８には、フォルダー選択部２６、ファイル選択部２７及び保存ボタン２８が配置されている。
そして、フォルダー選択部２６及びファイル選択部２７でフォルダー及びファイルを選択し、保存ボタン２８をクリックすると、表示部１４に表示されている制御データが選択されてファイルに保存されるようになっている。
【００３６】
次に、上記のように構成された制御装置のメインコントローラ１におけるイルミネーション制御データの入力動作及びイルミネーション制御動作を説明する。図８は、イルミネーションパターンデータの生成からイルミネーション制御動作を行うまでの概要を示す。
【００３７】
イルミネーションパターンデータの生成は、まずイルミネーションパターンの原画を作成し、作業用メモリ１０に格納する（ステップ１）。
次いで、作成された原画に基づいて、多数の電動ブラインドをイルミネーション制御するための制御データを作成する（ステップ２）。
【００３８】
次いで、前記制御データに基づいてイルミネーション制御を実行するための実行プログラムを作成し（ステップ３）、その実行プログラムに基づいてイルミネーション制御を行う（ステップ４）。
【００３９】
上記ステップ２における制御データの作成動作を図９に従って詳細に説明すると、まず図３に示す画面において、原画呼び出し部１７のフォルダー選択部１９及びファイル選択部２０で所望の原画を選択する（ステップ１１）。
【００４０】
すなわち、フォルダー選択部１９で所望のフォルダーを選択すると、図４に示すように、制御部６は選択されたフォルダーに格納されている複数の原画を原画一覧表示部１５に表示する。
【００４１】
次いで、原画一覧表示部１５に表示された原画の中で所望の原画が存在する場合には、ファイル選択部２０内の当該原画に対応するファイル名をクリックするか、原画一覧表示部１５内の原画をクリックすると、制御部６は原画データの読み込みを行い、図５に示すように、その原画を表示部１４に表示する（ステップ１２）。
【００４２】
次いで、制御部６は原画データに含まれる色情報を抽出し、その色をブラインド状態設定部１６の小窓２２に表示する（ステップ１３）。
ステップ１３の動作を図１０に従って詳細に説明する。まず、原画データのすべての画素の色情報を順次抽出するために、画素番号として「１」を設定し（ステップ２１）、色のグループ番号を「１」に設定する（ステップ２２）。
【００４３】
次いで、原画データを構成する一つの画素の色情報を読み出し（ステップ２３）、その画素の色が既登録であるか否かを判別する（ステップ２４）。
ステップ２４において、既登録ではない場合には、図５に示すように、制御部６は当該画素の色をグループ１の小窓２２に表示し（ステップ２５）、グループ番号に１を加算する（ステップ２６）。
【００４４】
次いで、制御部６は原画データを構成する全画素について、色情報の抽出が終了したか否かを判別する（ステップ２７）。なお、ステップ２４において、既登録であると判別された場合には、ステップ２７に移行する。
【００４５】
ステップ２７において、全画素の色情報の抽出が終了していない場合には、制御部６は画素番号に「１」を加算し（ステップ２８）、ステップ２３に復帰する。
【００４６】
このようしてステップ２３〜２８が繰り返されて、すべての画素について色情報の抽出が行われる。そして、ステップ２７において全画素の色情報の抽出が終了していると、ステップ１３の動作が終了する。
【００４７】
この状態では、図５に示すように、原画データに含まれる３色の異なる色が抽出されて、グループ１〜３の小窓２２にそれぞれ表示される。
図９においてステップ１３が終了すると、制御部６は小窓２２に表示された色に対しそれぞれブラインド状態を設定する（ステップ１４）。すなわち、小窓２２に表示された各色に対し、小窓２２の側方に配置されたデータ入力小窓２３,２４にブラインド開度及びスラット角度を設定する。
【００４８】
このとき、図５に示すようにクループ０に例えば黒色の特定の色が設定されていると、当該色の画素に対応するブラインドの動作は固定される。
次いで、制御部６はグループ編成ボタン２５のクリックに基づいて、それぞれ番号が付された各画素に対し、ステップ１４で設定されたブラインド状態を設定する（ステップ１５）。
【００４９】
ステップ１５の動作を図１１に従って詳細に説明する。制御部６は、まず画素番号を「１」に設定し（ステップ３１）、設定された画素番号に対応する画素の色に対応するブラインド開度及びスラット角度を取り込む（ステップ３２）。
【００５０】
次いで、制御部６は図１３に示すブラインド番号対照表を参照して、画素番号に対応する実際のブラインド番号を取得する（ステップ３３）。すなわち、画素番号は画素の配列順に付与した仮の番号であるため、あらかじめプログラムメモリ７に設定されているブラインド番号対照表に基づいて、この画素番号を実際の建物でのブラインド番号に変換する。
【００５１】
次いで、制御部６は当該ブラインド番号の制御データを作成し（ステップ３４）、全画素の変換が終了したか否かを判別する（ステップ３５）。全画素の変換が終了していなければ、画素番号を「１」加算し（ステップ３６）、ステップ３２〜３６を繰り返す。
【００５２】
ステップ３５で全画素の変換が終了していると判別されると、次いで制御部６は図６の表示部１４に表示された制御データを一時的に作業用メモリ１０に格納する（ステップ３７）。
【００５３】
上記のようなステップ３１〜３７でステップ１５の動作が終了した状態で、ファイル保存部１８のフォルダー選択部２６及びファイル選択部２７でフォルダー及びファイルが選択され、かつ保存ボタン２８がクリックされると、制御部６は作成された制御データを選択されたフォルダーにファイル名を付与して格納する（ステップ１６）。
【００５４】
そして、ステップ１１〜１６の動作により、図８に示すステップ２の動作が終了する。
ステップ３の実行プログラム作成動作は、ステップ２で作成された複数の原画に対応する制御データを組み合わせた実行プログラムを作成するものである。すなわち、複数の制御データをつなぎ合わせて、時間毎に表示するパターンを切り換えるプログラムを作成する。
【００５５】
プログラムの１ステップは、パターンを切り換える時刻、表示するパターンのファイル名、次のパターン切り換えまでの時間、その他いくつかのパターンを繰り返し表示する場合に使うループ命令やジャンプ命令等で構成される。
【００５６】
また、この実行プログラム作成動作は、選択したファイルがどのようなパターンであるかを表示部１４に表示するパターンモニター機能や、作成した実行プログラムの時間間隔を短縮して画面上にパターンを次々に表示する模擬表示機能を備えたプログラムを作成することもできる。
【００５７】
ステップ４に示すイルミネーション制御の実行は、メインコントローラを通常のブラインド制御からイルミネーション制御に切り換えることにより、ステップ３で作成された実行プログラムに基づいて自動的に行われる。
【００５８】
そのイルミネーション制御動作を図１２に従って説明する。イルミネーション制御が開始されると、制御部６はまず全ブラインドを全閉状態とする（ステップ４１）。
【００５９】
次いで、作業用メモリ１０内の全パターンの制御データを記憶する領域を初期化し（ステップ４２）、イルミネーション制御をしようとする最初のパターンの制御データを読み込む（ステップ４３）。
【００６０】
次いで、最初のブラインド、すなわちブラインド番号「１」の制御データを読み（ステップ４４）、その制御データが前パターンのブラインド番号「１」の制御データと一致するか否かを判別する（ステップ４５）。
【００６１】
一致しない場合には、当該ブラインドに制御データを送信して（ステップ４６）、ステップ４７に移行し、一致する場合にはステップ４７に移行する。
ステップ４７では、全ブラインドに制御データを送信したか否かが判別される。そして、未だ全ブラインドに制御データが送信されていない場合には、次のブラインドの制御データを読み込み（ステップ４８）、ステップ４５に復帰する。
【００６２】
このようにして、ステップ４５〜４８が繰り返され、全ブラインドに制御データの送信が完了すると、次のパターンの制御データを読み込み（ステップ４９）、ステップ４４〜４８を繰り返す。
【００６３】
このような動作により、複数のパターンを順次切り換えてイルミネーション制御を行う場合、制御データが前パターンと同一のブラインド、すなわちブラインド開度及びスラット角度を変更する必要がないブラインドには、制御データの送信が省略される。
【００６４】
上記のように構成された電動ブラインドの制御装置における、イルミネーション制御のパターン入力動作及びイルミネーション制御動作では、次に示す作用効果を得ることができる。
【００６５】
（１）原画を３色以上の色で作成し、各色に対応したブラインド状態を制御データとして設定することができるので、イルミネーションパターンを微細な階調で表現することができる。
【００６６】
（２）原画を構成する画素の各色に対応するブラインド開度及びスラット角度を設定すれば、すべてのブラインドの制御データを自動的に設定することができるので、多数のブラインドの制御データを容易にかつ正確に設定することができる。
【００６７】
（３）原画に使用されている色を抽出し、その色にブラインド開度及びスラット角度を設定するので、同一の色に設定されたブラインドには、同一の制御データを正確に設定することができる。
【００６８】
（４）原画の中に例えば黒色の特定の色を設定し、その色を動作禁止とすることができる。従って、イルミネーション制御時に動作禁止とするブラインドを原画の色で設定することができるので、その設定作業が容易であるとともに、変更も容易である。
【００６９】
（５）原画における画素番号を、あらかじめ設定されたブラインド番号対照表に基づいて、実際の建物に設置されているブラインドの番号に変換することができる。従って、建物の各フロアにおけるブラインドの移設や増設によって、ブラインド番号に変更がある場合にも、対照表を書き換える簡単な作業でイルミネーション制御を正常に行うことができる。
【００７０】
（６）複数の対照表を用意し、その対照表を適宜に使い分けることにより、一つのイルミネーションパターンを建物の北面あるいは南面に表示したり、建物の壁面の上方あるいは下方に表示するという変更を容易に行うことができる。
【００７１】
上記実施の形態は、次に示すように変更することもできる。
・動作禁止を設定する画素の色は、黒色以外の任意の色としてもよい。
・前記電動ブラインドは、電動横型ブラインド、電動縦型ブラインドあるいは電動ロールブラインドとしてもよい。
【００７２】
【発明の効果】
以上詳述したように、この発明はブラインド開度あるいはスラット角度を３段階以上に制御して、イルミネーションパターンの階調制御を可能としながら、イルミネーション制御を容易にかつ迅速に行い得る電動ブラインドの制御用データの入力装置を提供することができる。
【図面の簡単な説明】
【図１】  電動ブラインドの制御装置を示す概略図である。
【図２】  メインコントローラの電気的構成を示すブロック図である。
【図３】  制御データ設定画面を示す説明図である。
【図４】  制御データ設定画面を示す説明図である。
【図５】  制御データ設定画面を示す説明図である。
【図６】  制御データ設定画面を示す説明図である。
【図７】  原画を示す説明図である。
【図８】  イルミネーションパターンの入力動作を示すフローチャート図である。
【図９】  イルミネーションパターンの入力動作を示すフローチャート図である。
【図１０】  イルミネーションパターンの入力動作を示すフローチャート図である。
【図１１】  イルミネーションパターンの入力動作を示すフローチャート図である。
【図１２】  イルミネーション制御動作を示すフローチャート図である。
【図１３】  ブラインド番号対照表を示す説明図である。
【符号の説明】
６              制御データ作成装置（制御部）
７              制御データ作成装置（プログラムメモリ）
８              制御データ作成装置(マウス)
９              制御データ作成装置（キーボード）
１０            制御データ作成装置（作業用メモリ）
１３            制御データ作成装置（入力画面）
【図１】
0003711001.tif 000002
【図２】
0003711001.tif 000003
【図３】
0003711001.tif 000004
【図４】
0003711001.tif 000005
【図５】
0003711001.tif 000006
【図６】
0003711001.tif 000007
【図７】
0003711001.tif 000008
【図８】
0003711001.tif 000009
【図９】
0003711001.tif 000010
【図１０】
0003711001.tif 000011
【図１１】
0003711001.tif 000012
【図１２】
0003711001.tif 000013
【図１３】
0003711001.tif 000014